(57)【要約】  【課題】  映像信号の再生時に簡単な操作でプログレッシブ方式とインターレース方式とを切り替えて再生映像を継続表示させることができ、テレビジョン受像機のケーブルを接続し直すといった煩瑣な作業が不要になる映像再生装置を提供する。  【解決手段】  メニューキーおよび決定キーの操作によってテレビジョン受像機２１の画面に表示された色差信号側が選択されるに続き、プログレッシブ方式の映像表示が選択された後、再生キーが操作されたときは、切替手段１４を制御して前記プログレッシブ方式の映像信号を第２出力端子１７側に出力させ、次いで、特殊キーが操作されると、前記切替手段１４を制御して前記プログレッシブ方式の映像信号をインターレース方式の映像信号に切り替えて出力させる制御を行う制御部２０、を備えた。【選択図】      図  1
2005354437.tif 000002
【特許請求の範囲】
【請求項１】
情報記録媒体から再生された映像信号がRGB信号および色差信号として抽出され、前記RGB信号が第１出力端子に導かれる一方、前記色差信号がインターレース方式の映像信号とプログレッシブ方式の映像信号とに変換され切替手段を介して第２出力端子に導かれ、前記第１出力端子と第２出力端子とが、前記プログレッシブ方式対応型およびプログレッシブ方式非対応型のテレビジョン受像機を接続可能とされてなる映像再生装置において、
前記テレビジョン受像機の画面に各種メニュー項目を表示させる指令を発するメニューキーと、
前記メニュー項目を選択的に決定する指令を発する決定キーと、
前記再生映像信号を出力させる指令を発する再生キーと、
前記テレビジョン受像機における映像表示方式を切り替える指令を発する特殊キーと、
前記メニューキーおよび決定キーの操作によって前記画面に表示された色差信号側が選択されるに続き、前記プログレッシブ方式の映像表示が選択された後、前記再生キーが操作されたときは、前記切替手段を制御して前記プログレッシブ方式の映像信号を前記第２出力端子側に出力させ、次いで、前記特殊キーが操作されると、前記切替手段を制御して前記プログレッシブ方式の映像信号を前記インターレース方式の映像信号に切り替えて出力させる制御を行う制御部と、を備えた映像再生装置。
【請求項２】
前記制御部が、前記再生キーの操作に応じ前記色差信号を抽出させてその映像信号を前記第１出力端子側に出力させた後、前記再生キーが標準時間よりも長く押圧操作されたときは、前記色差信号の代りに前記RGB信号を抽出させて前記第１出力端子側に出力させることを特徴とする請求項１に記載の映像再生装置。
【請求項３】
前記特殊キーが、再生映像信号の出力を停止させる停止キーであり、標準時間よりも長く押圧操作されたときに前記映像表示方式を切り替える指令を発することを特徴とする請求項１に記載の映像再生装置。
【発明の詳細な説明】
【技術分野】
【０００１】
本発明は、DVD(Digital Versatile Disc)に情報を記録または再生するDVDプレイヤー等の映像再生装置に係り、特に、プログレッシブ方式の映像信号とインターレース方式の映像信号とを簡便に切り換えて再生する映像再生装置に関する。
【背景技術】
【０００２】
テレビジョン方式において、NTSCは少ない帯域で映像信号を送信するために、１枚の映像（フレーム）を飛び飛びの走査線により２回に渡って描画するインターレーススキャン方式を採用している。
【０００３】
但し、このインターレース方式は、テレビジョン受像機のCRT等で映像を表示した場合、同期回路や偏向回路で生じる誤差で２つのフィールドのそれぞれの走査線が相手側の走査線の中央に入らず、若干ずれてしまうペアリング現象が生じることから、画質の低下を招く問題がある。
【０００４】
このペアリング現象を防止するため、PAL方式のテレビジョン受像機では、走査線を倍の速度とし１フレームを１回で描画するプログレッシブスキャン方式を採用しているが、PAL方式のテレビジョン受像機を使用するヨーロッパ等では、近時、プログレッシブ対応型と非対応型との２種類が混在している。
【０００５】
ところで、このようなPAL方式のテレビジョン受像機をDVDプレイヤーに接続した場合、プログレッシブ対応型であればプログレッシブ方式により再生映像を表示できるが、プログレッシブ非対応型であると映像が表示されないという難点があった。
【０００６】
このときは、テレビジョン受像機のケーブルをDVDプレイヤー側のRGB信号入力端子であるスカートジャックに接続し直す必要があるが、ユーザーはこのことを知らないのが一般である。
【０００７】
このため、画面に映像が表示されないと、ユーザーはリモコンや本体のキーを繰り返し操作することになるが、結局は何も映らないために困惑してしまう状況であった。
【０００８】
結局、取り扱い説明書を見て漸く対処法に気づいたときに、前述の如くケーブルを接続し直すこととなっていた。
【０００９】
しかし、このようなケーブルの接続変更は、テレビジョン受像機の背面で行う必要があり、甚だ面倒なものであった。
【００１０】
このような点から、ユーザーの利便性を高めることを目的とした映像再生装置が提案されている（例えば、特許文献１参照）。
【００１１】
このものは、スライドスイッチを備えており、これがインターレース側に切り替えられている状態では、リモコンの切り替えキーの操作に関わりなく、インターレース方式の映像信号が出力端子から出力されるようになっている。
【００１２】
そして、操作全体を制御するＣＰＵは、前記スライドスイッチがプログレッシブ側に切り替えられていると、リモコンの切り替えキーが操作される毎に、インターレース変換回路及びプログレッシブ変換回路から出力される映像信号を交互に出力回路に導くように切替制御する。
【００１３】
これにより、ユーザーの煩雑な操作を軽減することができるというものである。
【特許文献１】特開２００３−６１０４７号公報  また、前述のようなプログレッシブ方式とインターレース方式との切り換えに関して、映像出力の切り換えを行わない構成の映像出力切り換え回路も提案されている。
【００１４】
この切り換え回路は、インターレース走査の映像信号のみ、あるいは、プログレッシブの映像信号のみを出力する機種であっても、ジャンパで接続するといった作業が不要となり、組み立て作業が容易になるというものである。
【特許文献２】特開２００３−１８９２５３号公報
【発明の開示】
【発明が解決しようとする課題】
【００１５】
ところで、上記特許文献１の映像再生装置は、スライドスイッチおよびリモコンの切り替えキーを操作する必要があり、例えば、リモコンの何れかのキーを押し続けるだけでプログレッシブ方式とインターレース方式とを簡単に切り替えられるものではない。
【００１６】
また、特許文献２の映像出力切り換え回路は、組み立て作業を容易にすることはできるが、やはり、リモコンの何れかのキーを押し続けるだけで簡単に切り替えられるものではなかった。よって、上記何れの装置も操作性を高めるには一定の限界があった。
【００１７】
そこで、本発明は、上記の問題に鑑みてなされたものであり、映像信号の再生時に簡単な操作でプログレッシブ方式とインターレース方式とを切り替えて再生映像を継続表示させることができ、テレビジョン受像機のケーブルを接続し直すといった煩瑣な作業が不要になる映像再生装置を提供することを目的としている。                 
【課題を解決するための手段】
【００１８】
上記目的を達成するため、本発明による映像再生装置は、情報記録媒体から再生された映像信号がRGB信号および色差信号として抽出され、前記RGB信号が第１出力端子に導かれる一方、前記色差信号がインターレース方式の映像信号とプログレッシブ方式の映像信号とに変換され切替手段を介して第２出力端子に導かれ、前記第１出力端子と第２出力端子とが、前記プログレッシブ方式対応型およびプログレッシブ方式非対応型のテレビジョン受像機を接続可能とされてなる映像再生装置において、前記テレビジョン受像機の画面に各種メニュー項目を表示させる指令を発するメニューキーと、前記メニュー項目を選択的に決定する指令を発する決定キーと、前記再生映像信号を出力させる指令を発する再生キーと、前記テレビジョン受像機における映像表示方式を切り替える指令を発する特殊キーと、前記メニューキーおよび決定キーの操作によって前記画面に表示された色差信号側が選択されるに続き、前記プログレッシブ方式の映像表示が選択された後、前記再生キーが操作されたときは、前記切替手段を制御して前記プログレッシブ方式の映像信号を前記第２出力端子側に出力させ、次いで、前記特殊キーが操作されると、前記切替手段を制御して前記プログレッシブ方式の映像信号を前記インターレース方式の映像信号に切り替えて出力させる制御を行う制御部と、を備えてなる。
【００１９】
また、上記目的を達成するための本発明による映像再生装置は、前記制御部が、前記再生キーの操作に応じ前記色差信号を抽出させてその映像信号を前記第１出力端子側に出力させた後、前記再生キーが標準時間よりも長く押圧操作されたときは、前記色差信号の代りに前記RGB信号を抽出させて前記第１出力端子側に出力させることを特徴とする。
【００２０】
また、前記特殊キーが、再生映像信号の出力を停止させる停止キーであり、標準時間よりも長く押圧操作されたときに前記映像表示方式を切り替える指令を発することを特徴とする。
【発明の効果】
【００２１】
以上説明したように、本発明による映像再生装置は、第１および第２出力端子に接続したテレビジョン受像機がプログレッシブ方式非対応型であるとき、プログレッシブ方式の映像信号を出力させると、画面に再生映像が表示されないが、特殊キーを操作するとインターレース方式の映像信号に切り替えて出力され、テレビジョン受像機の画面にインターレース方式で再生映像が表示されるから、従来のように、テレビジョン受像機の背面でケーブルを接続し直すような面倒な作業が不要になる効果がある。
【００２２】
また、上記目的を達成するための本発明による映像再生装置は、再生キーが標準時間よりも長く押圧操作されたときは、RGB信号の抽出側に切り替えて映像信号を出力し、インターレース方式により再生映像を表示させるので、予め色差信号の抽出側に切り替わっていたためにインターレース方式で再生映像が表示されなくなる問題を回避できる利点がある。
【００２３】
また、前記特殊キーが停止キーであり、標準時間よりも長く押圧操作されたときに映像表示方式を切り替える指令を発するので、従来の機能キーを兼用できるうえ、簡単な操作によりプログレッシブ方式の映像信号をインターレース方式の映像信号に切り替えて出力し得る利点がある。
【発明を実施するための最良の形態】
【００２４】
以下、本発明の映像再生装置の実施形態について、図面を参照しながら詳述する。
【００２５】
図１は本発明の一実施形態である映像再生装置の電気的構成を示すブロック線図である。
【００２６】
本実施形態の映像再生装置は、DVDプレイヤー１に適用されたもので、リモコン装置 (リモートコントローラ) ２５の押キー操作によりDVD２の記録情報を再生し、映像信号を出力端子１６，１７からテレビジョン受像機２１に送出して画面に所望の映像を表示させる構成になっている。
【００２７】
このテレビジョン受像機２１は、映像表示にインターレース方式を標準としており、これにプログレッシブ方式を備えた対応型と、プログレッシブ方式を備えていない非対応型とがある。
【００２８】
図１において、３は駆動系のモータであり、前記DVD２を回転駆動させる。また、４は光ピックアップであって、DVD２のトラックから光学的に読み取った情報をメイン回路６のデータ分離回路７に送出する。
【００２９】
モータ３は、サーボ回路５により動作速度が制御され、光ピックアップ４もサーボ回路５によってデータ読み取り動作が制御される。
【００３０】
サーボ回路５は、制御部２０の指令に応じてモータ３や光ピックアップ４を制御するようになっている。
【００３１】
データ分離回路７は、DVD２からの読み取り情報を映像データ成分と音声データ成分とに分離し、切替スイッチ８の可動接点に送出する。
【００３２】
この切替スイッチ８は、第１切替接点（図示上部側）にＲＧＢ信号処理部（ＲＧＢと図示）９が接続され、第２切替接点（図示下部側）に色差信号処理部（色差と図示）１０が接続されている。
【００３３】
ＲＧＢ信号処理部９は、映像データ成分からＲＧＢ信号を抽出するもので、出力部１５が接続されている。一方、色差信号処理部１０は、映像データ成分から色差信号を抽出するもので、映像処理回路１１が接続されている。
【００３４】
切替スイッチ８は、制御部２０からの切替信号により、第１切替接点側に切り替わると、ＲＧＢ信号を出力部１５に送出する。また、第２切替接点側に切り替わると、色差信号を映像処理回路１１に送出する。
【００３５】
この映像処理回路１１は、インターレース変換回路１２、プログレッシブ変換回路１３、切替回路１４および出力部１５により構成されている。
【００３６】
インターレース変換回路１２およびプログレッシブ変換回路１３は、切替回路１４を介して出力部１５に接続されている。
【００３７】
インターレース変換回路１２は、色差信号を含む映像データ成分をインターレース方式の映像信号に変換する一方、プログレッシブ変換回路１３は、色差信号を含む映像データ成分をプログレッシブ方式の映像信号に変換して切替回路１４にそれぞれ出力する。
【００３８】
この切替回路１４は、制御部２０からの切替信号により、インターレース方式の映像信号またはプログレッシブ方式の映像信号を出力部１５に送出する。この出力部１５は、前述の各種映像信号をテレビジョン受像機２１の映像表示に適合する信号形態に変換して出力端子１６，１７に伝送する。
【００３９】
出力端子１６は、RGB信号の出力用であり、複数本の接続ピンを備えたスカートジャック式になっている。
【００４０】
この出力端子１６に、ケーブルを介してテレビジョン受像機２１を接続すると、DVDプレイヤー１からの映像信号を受けてインターレース方式により再生映像を表示することができる。
【００４１】
また、前記出力端子１７は、色差信号の出力用であり、３本の接続ピンを備えている。この出力端子１７に、コードを介してテレビジョン受像機２１を接続すると、DVDプレイヤー１からの映像信号を受けてインターレース方式およびプログレッシブ方式により再生映像を表示することができる。
【００４２】
制御部２０は、装置全体の動作を制御するマイクロコンピュータであって、前記回路各部とその機能に応じて一方向あるいは双方向性に接続されている。
【００４３】
この制御部２０は、受信部１９を介して入力するリモコン１８からの指令により、サーボ回路５、データ分離回路７および映像処理回路７等を制御する。
そして、リモコン２５からの指令信号に対応したモードに移行し、サーボ回路５に制御信号を送出して駆動機構を制御することにより、通常の再生、スロー再生、早送り、早戻しおよび停止といった各種動作を実行する。
【００４４】
また、リモコン２５からの指令信号に応じてテレビジョン受像機２１の画面にメニュー項目やメッセージを表示させたり、選択項目を決定する指令信号を送出する。
【００４５】
さらに、再生キーおよび停止キーの押し時間の長さに応じて、インターレース方式またはプログレッシブ方式の映像表示に切り替える制御を行う構成になっている。
【００４６】
図２は、リモコンの概要構成を示す説明図である。
【００４７】
２５はリモコンであり、リモコン本体にはDVDプレイヤー１を操作するための各種操作キーが配設されている。
【００４８】
この操作キーとしては、一般のリモコンと同様、リモコン本体の前部側に電源オン・オフ用のパワーキー２７やトレイ開閉用の開閉キー等が配置されている。
【００４９】
また、リモコン本体のほぼ中央にテンキーを設け、その近傍にメニューキー２７や決定キー２８を配している。メニューキー２７は、テレビジョン受像機２１の画面にメニュー（MENU）を表示させる指令を出力し、決定キー２８は、画面で選択された項目を決定する指令信号を出力する。
【００５０】
そして、後部側にはカーソルキー等を配設している。このカーソルキーは、機能キーを兼ねており、上下左右に配置された各キーに再生キー２９、停止キー３０、早送りキー、早戻しキーが割り当てられている。
【００５１】
また、このカーソルキーの近傍に、一時停止キー、前スキップキー、次スキップキー等が設けられている。
【００５２】
このカーソルキーは、メニューキー２７でテレビジョン受像機２１の画面にメニューを表示させたときに何れかを操作すると、画面上のカーソルを移動させて所望の項目を選択する指令を出力するようになっている。
【００５３】
このように構成されたリモコン２５は、何れかのキーが押圧操作されると、この操作内容に応じた情報が赤外線信号でDVDプレイヤー１側に送信される。
【００５４】
次に、上記DVDプレイヤーの動作について、図を参照しつつ説明する。
【００５５】
ユーザーがDVDプレイヤー１でDVD２の再生映像をテレビジョン受像機２１で見たいときは、出力端子１６，１７に入力端子２２，２３を接続する。
【００５６】
この際、テレビジョン受像機のうちPAL方式は、通常、RGB信号出力用のスカートジャック（例えば、入力端子２２）と色差信号出力用の３本の接続ピン（例えば、入力端子２３）とを備えている。
【００５７】
よって、PAL方式のテレビジョン受像機を使用開始するときは、入力端子２２と出力端子１６とをケーブルにより接続し、入力端子２３と出力端子１７とをコードにより接続しておく。
【００５８】
そして、ユーザーがリモコン２６のパワーキー２６を押圧操作した後、メニューキー２７を操作すると、制御部２０はテレビジョン受像機２１の画面にメニューを表示させる。
【００５９】
このメニューのうち、映像表示方式の項目では、「RGB信号出力」または「色差信号出力」の何れかを選択させる表示内容となっている。
【００６０】
ここで、ユーザーが「RGB信号出力」を選択し、再生キーを標準の時間内で押圧操作すると、制御部２０は切替スイッチ８を第１切替接点側に切り替える。すると、DVD２で再生された映像信号のうち、RGB信号が抽出されて出力部１５、出力端子１６およびケーブルを介してテレビジョン受像機２に送出される。
【００６１】
PAL方式のテレビジョン受像機２１は、インターレース方式を標準にしているので、画面には直ぐに再生映像が表示される。よって、ユーザーはインターレース方式により再生映像を見ることができる。
一方、ユーザーが前記メニュー項目で「色差信号出力」を選択した場合、制御部２０は、画面に「インターレース方式」または「プログレッシブ方式」の何れかを選択させるメニュー項目を表示させる。
【００６２】
ここで、ユーザーが「インターレース方式」を選択し、再生キーを標準の時間内で押圧操作すると、制御部２０は切替スイッチ８を第２切替接点側に切り替える。すると、DVD２で再生された映像信号から色差信号が抽出されてインターレース変換回路１２に送出される。
【００６３】
そして、インターレース方式に変換された後、切替回路１４、出力部１５、出力端子１６およびケーブルを介してテレビジョン受像機２１に送出される。
【００６４】
これにより、テレビジョン受像機２１の画面には、インターレース方式で再生映像が表示される。
【００６５】
一方、ユーザーが「プログレッシブ方式」を選択し、再生キーを標準の時間内で押圧操作すると、色差信号がプログレッシブ変換回路１３に送出される。
【００６６】
そして、プログレッシブ方式の信号に変換された後、切替回路１４、出力部１５、出力端子１７およびコードを介してテレビジョン受像機２１に送出される。
【００６７】
このテレビジョン受像機２１が、プログレッシブ方式対応型である場合は、画面にプログレッシブ方式で再生映像が表示される。よって、ユーザーはプログレッシブ方式で再生映像を見ることができる。
【００６８】
しかし、このテレビジョン受像機２１が、プログレッシブ方式非対応型である場合は、画面にプログレッシブ方式での再生映像が表示されない。
【００６９】
このため、ユーザーが「プログレッシブ方式」を選択操作しているのに、画面には何も表示されないことから、このテレビジョン受像機２１がプログレッシブ方式対応型であることに気付くことになる。
【００７０】
そこで、ユーザーが停止キー３０を標準時間よりも長く押圧操作すると、制御部２０はこれを受けて切替回路１４を制御し、プログレッシブ変換回路１３側からインターレース変換回路１２側に切り替える。
【００７１】
すると、色差信号がインターレース方式に変換された後、切替回路１４、出力部１５、出力端子１７およびコードを介してテレビジョン受像機２１に送出される。
【００７２】
これにより、テレビジョン受像機２１の画面には、インターレース方式で再生映像が表示されるので、ユーザーは直ぐに所望の映像を見ることができる。
【００７３】
よって、ユーザーが画面に何も映らないことに気づいたときに、停止キー３０を長押し操作するだけでよく、従来のように、テレビジョン受像機２１のケーブルをスカートジャックである出力端子１６に接続し直す必要がなくなる。
【００７４】
ところで、DVDプレイヤー１の使用に際してユーザーがリモコン２５のパワーキー２６を操作した後、直ぐに再生キー２９を操作したとき、切替スイッチ８の可動接点が第２切替接点側になっていることがある
この際、出力端子１６にNTSC方式のテレビジョン受像機２１を接続していると、インターレース方式対応型が基準となっているので、画面には再生映像が表示されない。
【００７５】
そこで、ユーザーが再生キー２９を標準時間よりも長く押圧操作すると、制御部２０が切替スイッチ８の可動接点を第１切替接点側に切り替える。
【００７６】
これに伴い、ＲＧＢ信号処理部９からインターレース方式の映像信号が出力部１５を介して出力端子１６側に送出される。よって、ユーザーはインターレース方式により再生映像を見ることができる。
【００７７】
なお、本発装置明は上記の各実施形態に限定されず、本発明の趣旨を逸脱しない範囲で、種々の変更が可能である。
【図面の簡単な説明】
【００７８】
【図１】本発明の一実施形態である映像再生装置の電気的構成を示すブロック線図である。
【図２】リモコン装置の概要構成を示す説明図である。
【符号の説明】
【００７９】
１      映像再生装置
１４    切替手段
１７    第２出力端子
２０    制御手段
２１    テレビジョン受像機
【図１】
2005354437.tif 000003
【図２】
2005354437.tif 000004